(57)【要約】【課題】環境検査の視覚的判定を支援する環境検査判定支援システムを提供する。【解決手段】端末装置は、判定対象物と印刷した基準色シートとを撮影するカメラと、撮影画像中の所定の画像範囲を画像データとして取得する手段と、判定対象物と基準色シートの画像データを判定要求とともにサーバに送信する手段と、サーバから判定結果を受信し、表示する手段と、を備え、サーバは、各標準色のカラーコードと各判定レベルとを対応付けて予め格納したデータベースと、端末装置から受信した基準色画像データを基に撮影カラーコードの誤差を算出する手段と、判定対象物画像データを基に判定対象物の撮影カラーコードを取得し、誤差を用いて補正する手段と、判定対象物の撮影カラーコードに最も近い標準色のカラーコードに対応する判定レベルを判定結果とする手段と、端末装置に判定結果を送信する手段と、を備える。【選択図】図１
2016139331.tif 000002
【特許請求の範囲】
【請求項１】
環境検査キットを用いて得た判定対象物に対する視覚判定を支援するべく、通信ネットワークで接続された端末装置とサーバとを有する環境検査判定支援システムであって、
（ａ）前記端末装置は、
（ａ１）前記判定対象物と、撮影画像の色補正用の基準色を印刷した基準色シートとを同じ撮影条件下にて撮影するためのカメラと、
（ａ２）前記判定対象物の撮影画像及び前記基準色シートの撮影画像の各々における所定の画像範囲を、それぞれ判定対象物画像データ及び基準色画像データとして取得する手段と、
（ａ３）前記判定対象物画像データ及び前記基準色画像データを判定要求とともに前記サーバに送信する手段と、
（ａ４）前記サーバから判定結果を受信し、表示する手段と、を備え、
（ｂ）前記サーバは、
（ｂ１）判定対象物と比較される複数の標準色の各カラーコードと各判定レベルとを対応付けて予め格納した第１のデータベースと、
（ｂ２）撮影画像の色補正用の基準色の原カラーコードを予め格納した第２のデータベースと、
（ｂ３）前記端末装置から受信した前記基準色画像データを基に基準色の撮影カラーコードを取得し、前記第２のデータベースに格納された基準色の原カラーコードと比較することにより、前記基準色の撮影カラーコードの誤差を算出する手段と、
（ｂ４）前記端末装置から受信した前記判定対象物画像データを基に判定対象物の撮影カラーコードを取得し、算出された前記基準色の撮影カラーコードの誤差を用いて、前記判定対象物の撮影カラーコードを補正する手段と、
（ｂ５）補正された前記判定対象物の撮影カラーコードを前記第１のデータベースに格納された前記複数の標準色の各カラーコードと比較することにより、最も近い標準色のカラーコードに対応する判定レベルを前記判定対象物の判定結果として決定する手段と、
（ｂ６）前記端末装置に判定結果を送信する手段と、を備えたことを特徴とする
環境検査判定支援システム。
【請求項２】
前記判定対象物が、環境検査キットを用いて検査を行った後の試験紙又は試験液であることを特徴とする請求項１に記載の環境検査判定支援システム。
【請求項３】
前記環境検査キットが、水質検査、ホルムアルデヒド検査、カビ検査又はダニアレルゲン検査であることを特徴とする請求項１又は２に記載の環境検査判定支援システム。
【請求項４】
環境検査により得た判定対象物に対する視覚判定を支援するべく、通信ネットワークで接続された端末装置とサーバとを有する環境検査判定支援システムであって、
（ａ）前記端末装置は、
（ａ１）前記判定対象物を撮影するためのカメラと、
（ａ２）前記判定対象物の撮影画像中の所定の画像範囲を判定対象物画像データとして取得する手段と、
（ａ３）前記判定対象物画像データを判定要求とともに前記サーバに送信する手段と、
（ａ４）前記サーバから判定結果を受信し、表示する手段と、を備え、
（ｂ）前記サーバは、
（ｂ１）検査対象の各標準レベル値と各判定レベル又は各判定情報とを対応付けて予め格納したデータベースと、
（ｂ２）前記端末装置から受信した前記判定対象物画像データを基に判定対象物の判定用数値を取得し、前記判定対象物の判定用数値を前記データベースに格納された前記検査対象の各標準レベル値と比較することにより、最も近い標準レベル値に対応する判定レベル又は判定情報を前記判定対象物の判定結果として決定する手段と、
（ｂ３）前記端末装置に判定結果を送信する手段と、を備えたことを特徴とする
環境検査判定支援システム。
【請求項５】
前記判定対象物がカビ発生箇所であり、前記標準レベル値がカビ発生箇所におけるカビの占める面積割合であることを特徴とする請求項４に記載の環境検査判定支援システム。
【請求項６】
前記判定対象物が透明容器に採取した飲料水であり、前記標準レベル値が飲料水の色度又は濁度を示すカラーコードであることを特徴とする請求項４に記載の環境検査判定支援システム。
【請求項７】
前記判定対象物が実体不明物であり、前記標準レベル値が実体不明物のカラーコードであり、前記判定情報が実体不明物について実体候補の名称であることを特徴とする請求項４に記載の環境検査判定支援システム。
【発明の詳細な説明】
【技術分野】
【０００１】
本発明は、生活環境検査における判定、特に比色判定等の視覚的判定を支援するためのシステムに関する。
【背景技術】
【０００２】
現代の家庭の生活環境は、ダニ、花粉、カビなどの様々なアレルギー要因や目に見えない化学物質や細菌のリスクが増加している。そのため、健康的な生活環境を損なう原因を家庭内で簡易に検査するためのキットも市販されている。例えば、特許文献１は、多数の検査項目を簡易かつ短時間で検査できる水質検査キットを開示している。特許文献２は、ダニアレルゲンの簡易検査キットを開示している。
【０００３】
また、特許文献３に開示された水質検査受託システムでは、依頼者が水質検査を依頼する際、検査キットの採水容器に採水し、検査コースの選択とともに検査機関に採水容器を送る。検査機関は、検査コースの選択に従って検査を実行し、検査データをインターネットを介して依頼者に送信する。
【先行技術文献】
【特許文献】
【０００４】
【特許文献１】特開平１０−２８８６１２号公報
【特許文献２】特開２００１−３０５１３４号公報
【特許文献３】特開２０１４−２１５２０３号公報
【発明の概要】
【発明が解決しようとする課題】
【０００５】
特許文献１、２のように家庭内で簡易に検査することができるキットは、検査に不慣れなユーザがキットに添付された説明や基準となる標準色シートを参考にして判定しなければならないため、判定に迷う場合や誤った判定をしてしまう場合があり、信頼性のある判定が得られないという問題がある。
【０００６】
また、特許文献３のように検査機関に依頼する方式は、手間や時間がかかり過ぎるという問題がある。
【０００７】
本発明の目的は、家庭内で簡易に環境検査を行うことができかつ信頼性のある判定による検査結果を得ることができ、特に比色判定等の視覚的判定を支援する環境検査判定支援システムを提供することである。
【課題を解決するための手段】
【０００８】
上記の目的を達成するために本発明は、以下の構成を提供する。
本発明の第１の態様は、環境検査キットを用いて得た判定対象物に対する視覚判定を支援するべく、通信ネットワークで接続された端末装置とサーバとを有する環境検査判定支援システムであって、
（ａ）前記端末装置は、
（ａ１）前記判定対象物と、撮影画像の色補正用の基準色を印刷した基準色シートとを同じ撮影条件下にて撮影するためのカメラと、
（ａ２）前記判定対象物の撮影画像及び前記基準色シートの撮影画像の各々における所定の画像範囲を、それぞれ判定対象物画像データ及び基準色画像データとして取得する手段と、
（ａ３）前記判定対象物画像データ及び前記基準色画像データを判定要求とともに前記サーバに送信する手段と、
（ａ４）前記サーバから判定結果を受信し、表示する手段と、を備え、
（ｂ）前記サーバは、
（ｂ１）判定対象物と比較される複数の標準色の各カラーコードと各判定レベルとを対応付けて予め格納した第１のデータベースと、
（ｂ２）撮影画像の色補正用の基準色の原カラーコードを予め格納した第２のデータベースと、
（ｂ３）前記端末装置から受信した前記基準色画像データを基に基準色の撮影カラーコードを取得し、前記第２のデータベースに格納された基準色の原カラーコードと比較することにより、前記基準色の撮影カラーコードの誤差を算出する手段と、
（ｂ４）前記端末装置から受信した前記判定対象物画像データを基に判定対象物の撮影カラーコードを取得し、算出された前記基準色の撮影カラーコードの誤差を用いて、前記判定対象物の撮影カラーコードを補正する手段と、
（ｂ５）補正された前記判定対象物の撮影カラーコードを前記第１のデータベースに格納された前記複数の標準色の各カラーコードと比較することにより、最も近い標準色のカラーコードに対応する判定レベルを前記判定対象物の判定結果として決定する手段と、
（ｂ６）前記端末装置に判定結果を送信する手段と、を備えたことを特徴とする。
【０００９】
上記第１の態様において、前記判定対象物が、環境検査キットを用いて検査を行った後の試験紙又は試験液であることを特徴とする。
【００１０】
上記第１の態様において、前記環境検査キットが、水質検査、ホルムアルデヒド検査、カビ検査又はダニアレルゲン検査であることを特徴とする。
【００１１】
本発明の第２の態様は、環境検査により得た判定対象物に対する視覚判定を支援するべく、通信ネットワークで接続された端末装置とサーバとを有する環境検査判定支援システムであって、
（ａ）前記端末装置は、
（ａ１）前記判定対象物を撮影するためのカメラと、
（ａ２）前記判定対象物の撮影画像中の所定の画像範囲を判定対象物画像データとして取得する手段と、
（ａ３）前記判定対象物画像データを判定要求とともに前記サーバに送信する手段と、
（ａ４）前記サーバから判定結果を受信し、表示する手段と、を備え、
（ｂ）前記サーバは、
（ｂ１）検査対象の各標準レベル値と各判定レベル又は各判定情報とを対応付けて予め格納したデータベースと、
（ｂ２）前記端末装置から受信した前記判定対象物画像データを基に判定対象物の判定用数値を取得し、前記判定対象物の判定用数値を前記データベースに格納された前記検査対象の各標準レベル値と比較することにより、最も近い標準レベル値に対応する判定レベル又は判定情報を前記判定対象物の判定結果として決定する手段と、
（ｂ５）前記端末装置に判定結果を送信する手段と、を備えたことを特徴とする。
【００１２】
上記第２の態様において、前記判定対象物がカビ発生箇所であり、前記標準レベル値がカビ発生箇所におけるカビの占める面積割合であることを特徴とする。
【００１３】
上記第２の態様において、前記判定対象物が透明容器に採取した飲料水であり、前記標準レベル値が飲料水の色度又は濁度を示すカラーコードであることを特徴とする。
【００１４】
上記第２の態様において、前記判定対象物が実体不明物であり、前記標準レベル値が実体不明物のカラーコードであり、前記判定情報が実体不明物について実体候補の名称であることを特徴とする。
【発明の効果】
【００１５】
本発明によれば、検査により得た判定対象物を撮影した画像データを端末装置からサーバに送信し、サーバにて画像データを基に判定を行い、判定結果を端末装置に送信するので、ユーザは主観的な視覚判定を行う必要がなく、信頼性のある判定結果を即座に得ることができる。
【図面の簡単な説明】
【００１６】
【図１】図１は、本発明の実施形態を適用した環境検査判定支援システムの一例の全体構成を概略的に示した図である。
【図２】図２は、本発明の実施形態で用いる環境検査キットの例を示した模式図である。
【図３】図３（ａ）〜（ｄ）は、図１のサーバにおける判定基準ＤＢに含まれる判定基準テーブルの例を示した図である。
【図４】図４（ａ）（ｂ）は、図１のサーバにおける色補正ＤＢに含まれるテーブルの例を示した図である。
【図５】図５は、環境検査キットを用いた検査における判定フローの一例を示した図である。
【図６】図６は、判定対象物と基準色シートの撮影画像中の所定の画像範囲を指定する方法の例を模式的に示した図である。
【図７】図７は、生活環境等の撮影画像を用いた検査における判定フローの一例を示した図である。
【図８】図８は、判定対象物の撮影画像中の所定の画像範囲を指定する方法の例を模式的に示した図である。
【発明を実施するための形態】
【００１７】
図１は、本発明による環境検査判定支援システムの一実施形態の全体構成を概略的に示した図である。なお、図示の構成は一例であり、これに限定されるものではない。
【００１８】
環境検査判定支援システムは、インターネット等の通信ネットワークを介して接続可能な端末装置１とサーバ２とを備えている。端末装置１及びサーバ２はコンピュータであり、ＣＰＵがアプリケーションプログラムをメモリに読み込み実行することにより、本システムにおける各機能を実現するものである。
端末装置１は、本システムを利用する多数のユーザの各々が使用するコンピュータであり、例えば、デスクトップ型、ノート型、タブレット型等のコンピュータ又はスマートフォンである。なお、後述するように、端末装置１は、環境検査の判定対象物を適切な位置から撮影するためのカメラ１４ａを有するので、カメラ内蔵のスマートフォンが好適である。端末装置１は、所定の端末用アプリケーションを導入されることにより、本システムに関連する環境検査端末処理部１１の各機能を実現する。
【００１９】
サーバ２は、端末装置１から通信ネットワークを介して所定の処理を要求され、要求された処理を実行し、処理結果を端末装置１に送信するコンピュータである。サーバ２は、所定のサーバ用アプリケーションを導入されることにより、本システムに関連する環境検査サーバ処理部２１の各機能を実現する。
【００２０】
端末装置１の環境検査端末処理部１１は、主な機能として、検査種類選択部１１ａ、検査キット撮影画像判定処理部１１ｂ、環境撮影画像判定処理部１１ｃを備えている。その他に、サーバ２との情報伝送のためのソフトウェアとしてＷｅｂブラウザ１２を備えている。また、一般的な周辺装置として、タッチパネル等の入力部１３、カメラ１４ａを有する撮影部１４、液晶ディスプレイ等の表示装置１５、アプリケーションやデータを格納するための記憶部１５を備えている。必要に応じてカメラ１４ａに外付けの顕微鏡１４ｂを接続し、顕微鏡１４ｂを介して撮影してもよい。
【００２１】
一方、サーバ２の環境検査サーバ処理部２１は、一例であるが、主な機能として、検査キット撮影画像判定処理部２１ａ、環境撮影画像判定処理部２１ｂを備えている。その他に、端末装置１との情報伝送のためのＷｅｂサーバ２２の機能を備えている。また、本システムに関連するデータを格納する主なデータベースとして、判定基準ＤＢ２３及び色補正ＤＢ２４を備えている。
【００２２】
端末装置１の検査種類選択部１１ａは、サーバ２に要求する判定サービスの種類の選択処理を行う。判定サービスには、例えば、環境検査キットを用いて得た判定対象物の撮影画像を用いた比色判定サービス、環境検査キット以外の環境検査による判定対象物の撮影画像を用いた判定サービス、質問形式のチェック項目の判定サービス等がある。本明細書では、本発明の特徴である画像を用いた判定サービスのみについて説明する。
【００２３】
端末装置１の検査キット撮影画像判定処理部１１ｂと、サーバ２の検査キット撮影画像判定処理部２１ａとは、互いに連係して機能する。端末装置１の検査キット撮影画像判定処理部１１ｂは、環境検査キットを用いた検査を実行した試験紙等を撮影した画像データの処理、保存、及びサーバ２への送信、サーバ２からの判定結果の受信、判定結果の表示部１５への表示等を行う。一方、サーバ２の検査キット撮影画像判定処理部２１ａは、端末装置１からの画像データの受信、画像データに基づく判定、端末装置１への判定結果の送信等を行う。
【００２４】
端末装置１の環境撮影画像判定処理部１１ｃと、サーバ２の環境撮影画像判定処理部２１ｂとは、互いに連係して機能する。端末装置１の環境撮影画像判定処理部１１ｃは、カビ発生箇所や採取した飲料水等を撮影した画像データの処理、保存、及びサーバ２への送信、サーバ２からの判定結果の受信、判定結果の表示部１５への表示等を行う。一方、サーバ２の環境撮影画像判定処理部２１ｂは、端末装置１からの画像データの受信、画像データに基づく判定、端末装置１への判定結果の送信等を行う。
【００２５】
サーバ２の判定基準ＤＢ２３には、検査キット撮影画像判定処理部２１ａ及び環境撮影画像判定処理部２１ｂの各々における判定の際に用いる基準データが予め格納される。色補正ＤＢ２４には、検査キット撮影画像判定処理部２１ａにおける撮影画像の色補正処理用の基準データが予め格納される。
【００２６】
図２は、本発明の一実施形態で用いる環境検査キットの例を示した模式図である。環境検査キット３は、住居等の生活環境の検査を所望するユーザが薬局などで購入する。環境検査キット３は、１つの箱の中に検査用具一式が収納されている。
【００２７】
環境検査キット３に収納された検査用具一式の内容は、公知の環境検査キットと同様であり、環境検査の種類によって異なる。環境検査の種類としては、例えば、飲料水の水質検査、住居や家具のホルムアルデヒド検査、カビ検査、ダニアレルゲン検査等がある。水質検査の中にも、残留塩素、各種金属、ｐＨ等の種々の検査項目があり、１つの環境検査キットで複数の検査項目を検査可能なものもある。カビ検査やダニアレルゲン検査でもカビやダニの種類毎に検査するものがある。
【００２８】
具体的な検査用具の例として、採取具３１、試薬３２、試験紙３３等がある。試薬３２は、採取した液体に添加して色の変化を見るためのものである。試験紙３３は、採取した液体に浸して色の変化を見るためのものである。環境検査キットを用いる場合、比色判定のために各標準色と比較される「判定対象物」は、採取液に試薬を添加した試験液、採取液に浸した試験紙等である。
【００２９】
さらに、本システムに固有の内容物として、基準色シート３４と、アプリケーション情報３５とが同梱されている。基準色シート３４は、端末装置のカメラで判定対象物を撮影した際の撮影条件による色の誤差を補正するために用いるものである。基準色シート３４には、検査種類に応じて特定の１つの基準色が印刷されている。アプリケーション情報３５は、端末装置１に予めダウンロードする端末用アプリケーションの情報であり、具体的には、例えば、ダウンロードサイトのＵＲＬ、ログインＩＤ等を印刷したシートである。
【００３０】
本発明の別の実施形態は、環境検査キットを用いない環境検査に適用される。例えば、壁や天井などのカビ発生箇所におけるカビ発生面積の割合を視覚的に見積もる検査がある。また、飲料水を採取した透明容器を白い背景の前に載置して飲料水の色度や濁度を判定する検査がある。環境検査キットを用いない場合の「判定対象物」は、カビ発生箇所、又は、透明容器に採取した飲料水等である。
【００３１】
本システムは、従来の環境検査における比色判定等、ユーザによる視覚的な判定を支援するためのものであり、ユーザに替わりサーバ２が判定するように構成したものである。
【００３２】
図３（ａ）〜（ｅ）は、図１のサーバ２における判定基準ＤＢ２３に含まれる判定基準テーブルの例を示した図である。判定基準テーブルはそれぞれ、各環境検査の判定に必要な基準となるデータを格納している。
【００３３】
図３（ａ）は、残留塩素を調べる水質検査用の環境検査キットを用いた検査のための判定基準テーブルである。この場合、複数（例えば６段階）の標準色の各カラーコードを、各判定レベルの数値と対応付けて格納している。カラーコードは、各標準色を固有に表現する数値であり、例えばＲＧＢ値である。なお、図３中の"#FFFFFF"は、それぞれの所定のカラーコード数値を意味する。
【００３４】
図３（ｂ）は、ダニアレルゲン検査用の環境検査キットを用いた検査のための判定基準テーブルである。この場合、複数の標準色の各カラーコードを、各判定レベルの標識と対応付けて格納している。
【００３５】
図３（ｃ）（ｄ）（ｅ）は、環境検査キットを用いずに生活環境における検査対象を直接撮影して行う検査のための判定基準テーブルの例である。
【００３６】
図３（ｃ）は、カビ検査のための判定基準テーブルである。壁や天井などのカビの発生箇所におけるカビの占める面積割合を複数の標準レベル値に区分し、各区分と各判定レベルの数値と対応付けて格納している。
【００３７】
図３（ｄ）は、飲料水検査のための判定基準テーブルである。この場合は、飲料水の色度（ｄ１）と濁度（ｄ２）のそれぞれについて、複数の標準レベル値を各カラーコードで表し、各判定レベルの数値と対応付けて格納している。
【００３８】
図３（ｅ）は、実体不明物を判定するための判定基準テーブルである。この環境検査は、実体不明物を撮影し、その画像から実体が何であるかを判定するものである。画像の色のみを基に判定するので、判定の正確さを高めるために、撮影場所（例えば浴室壁、台所シンク下等）毎に判定基準テーブルを設けておくことが好ましい。この判定は曖昧さを排除できないため、標準レベル値には一定の幅を設けている。またこの場合の判定情報は、実体を断定するものではなく、実体候補として示すことが好ましい。図３（ｅ）の例では、判定情報の実体候補をそれぞれ１つのみ記載しているが、複数の実体候補を含めてもよい。
【００３９】
図４（ａ）（ｂ）は、図１のサーバにおける色補正ＤＢ２４に含まれるテーブルの例を示した図である。図４（ａ）は、検査種類毎に異なる基準色を設定する場合である。検査種類と、撮影画像の色補正を行うための基準色のカラーコード（以下、「基準色の原カラーコード」と称する）とを対応付けて予め格納している。図４（ｂ）は、検査種類に関わらず、１つの基準色を色補正に用いる場合である。
【００４０】
図５は、環境検査キットを用いた検査における判定フローの一例を示した図である。
先ず、ユーザが環境検査キットを購入する（ステップＳ１０１）。ユーザは、環境検査キットに同梱されたアプリケーション情報を用いて、予め端末装置に端末用アプリケーションをダウンロードし導入する。一方、ユーザは、環境検査キットを用いて検査を実施し、判定対象物を得る。判定対象物は、呈色した後の試験液や試験紙である。
【００４１】
判定対象物を準備した後、ユーザにより端末用アプリケーションが起動される（ステップＳ１０２）。
【００４２】
端末用アプリケーションの一画面において、環境検査の種類を指定する。ここでは、環境検査キットを用いた判定サービスを選択する（ステップＳ１０３）。環境検査の種類の選択情報は、端末装置の記憶部に一時的に保存される。
【００４３】
次に、端末用アプリケーションの一画面に、判定対象物と基準色シートの撮影を促すメッセージが表示される。端末装置のカメラにより、判定対象物と基準色シートが同じ撮影条件下で撮影される（ステップＳ１０４）。光の色や明るさについて同じ撮影条件とするためには、両者をほぼ同じ場所に並べ１回で撮影することが好適である。同じ撮影条件を確保できるならば、両者を別々に撮影してもよい。こうして、判定対象物と基準色シートの撮影画像が得られる。
【００４４】
次に、端末用アプリケーションの画面に判定対象物と基準色シートの撮影画像が表示され、判定に用いる所定の画像範囲の指定を促される（ステップＳ２０５）。
【００４５】
ここで、図６は、判定対象物及び基準色シートの撮影画像中の所定の画像範囲を指定する方法の例を模式的に示した図である。図６（ａ）に示すように、端末装置１はスマートフォンであり、入力部１３及び表示部１５はタッチパネルディスプレイである。判定対象物である試験紙３３について指定する画像範囲Ａと、基準色シート３４について指定する画像範囲Ｂが、画面中に太線枠で表示される。これらの画像範囲Ａ、Ｂの位置及び大きさは、ユーザがスマートフォンのタッチパネルディスプレイを操作して決定する。端末用アプリケーションは、決定された画像範囲を撮影画像から切り出し、判定対象物画像データ及び基準色画像データを取得する（ステップＳ１０５）。
【００４６】
図６（ｂ）の例では、判定対象物画像データＰ１の縦中心線上に試験紙３３の３つの呈色部分が並んでいる。図６（ｃ）の例では、判定対象物画像データＰ１１、Ｐ１２、Ｐ１３の縦中心線上に、それぞれ試験紙３３の３つの呈色部分を１つずつ含んでいる。図６（ｄ）の例では、基準色画像データＰ２が基準色シート部分のみを含んでいる。
【００４７】
図５に戻り、判定対象物画像データ及び基準色画像データの取得後、これらの画像データとともに判定要求をサーバに送信する（ステップＳ１０６）。判定要求には、ステップＳ１０３で選択された環境検査の種類の情報が含まれる。
【００４８】
サーバは、端末装置から、判定要求とともに判定対象物画像データ及び基準色画像データを受信する（ステップＳ１０７）。
【００４９】
サーバは、先ず、基準色画像データを基に、基準色の撮影カラーコードを取得する（ステップＳ１０８）。ここで「撮影カラーコード」とは、撮影画像の画像データから取得したカラーコードであり、撮影条件によって基準色の原カラーコードとは誤差を生じている。
【００５０】
続いて、サーバは、基準色の撮影カラーコードを、色補正ＤＢに予め格納されている基準色の原カラーコードと比較することにより、基準色の撮影カラーコードの誤差を算出する（ステップＳ１０９）。例えば、２つのカラーコードの色空間における２点の座標間距離により誤差を算出する。
【００５１】
次に、サーバは、判定対象物画像データを基に、判定対象物の撮影カラーコードを取得する（ステップＳ１１０）。
【００５２】
続いて、ステップＳ１０９で算出した基準色の撮影カラーコードの誤差を基に、判定対象物の撮影カラーコードを補正する（ステップＳ１１１）。これは、ステップＳ１０４において判定対象物と基準色シートを同じ撮影条件下で撮影したことから、判定対象物の撮影カラーコードは基準色の撮影カラーコードと同じ誤差を有するとの想定に基づくものである。
【００５３】
次に、補正された判定対象物の撮影カラーコードを、判定基準ＤＢに格納された各標準色のカラーコードと比較することにより、最も近い標準色のカラーコードを見出し、その最も近い標準色のカラーコードに対応する判定レベルを判定対象物の判定結果として決定する（ステップＳ１１２）。カラーコードの近さは、例えば、色空間における２点の座標間距離の長短により判断する。
【００５４】
最後にサーバは、判定結果を端末装置に送信する（ステップＳ１１３）。
【００５５】
端末装置は、サーバから判定結果を受信し、表示する（ステップＳ１１４。）
【００５６】
図７は、生活環境等の撮影画像を用いた環境検査における判定フローの一例を示した図である。この環境検査は、環境検査キットがなくとも実行可能である。
【００５７】
ユーザは、予め端末装置に端末用アプリケーションをダウンロードし導入する（ステップＳ２０１）。判定対象物の準備が必要な場合は、準備を行う。例えば、カビ検査の場合、壁のカビ発生箇所を撮影可能なように露出させる。また例えば、飲料水検査の場合、透明容器に飲料水を採取し、透明容器を白い壁の前など識別しやすい背景の前に置く。
【００５８】
続いて、ユーザにより端末用アプリケーションが起動される（ステップＳ２０２）。
【００５９】
端末用アプリケーションの一画面において、環境検査の種類を指定する。ここでは、環境撮影画像の判定サービスを選択する（ステップＳ２０３）。環境検査の種類の選択情報は、端末装置の記憶部に一時的に保存される。
【００６０】
次に、端末用アプリケーションの一画面に、判定対象物の撮影を促すメッセージが表示される。端末装置のカメラにより、判定対象物が撮影される（ステップＳ２０４）。
【００６１】
次に、端末用アプリケーションの画面に判定対象物の撮影画像が表示され、判定に用いる所定の画像範囲の指定を促される。
【００６２】
ここで、図８は、判定対象物の撮影画像中の所定の画像範囲を指定する方法の例を模式的に示した図である。図８（ａ）のカビ発生箇所撮影の例では、端末装置１はスマートフォンであり、入力部１３及び表示部１５はタッチパネルディスプレイである。判定対象物であるカビ発生箇所５０について指定する画像範囲Ｃが、画面中に太線枠で表示される。図８（ｂ）の飲料水撮影の例でも、端末装置１としてスマートフォンを用いている。飲料水を採取した透明容器６０について指定する画像範囲Ｄが、画面中に太線枠で表示される。図８（ｃ）の実体不明物撮影の例でも、端末装置１としてスマートフォンを用いている。例えば浴室壁における実体不明物７０について指定する画像範囲Ｅが、画面中に太線枠で表示される。これらの画像範囲Ｃ、Ｄ、Ｅの位置及び大きさは、ユーザがスマートフォンのタッチパネルディスプレイを操作して決定する。端末用アプリケーションは、決定された画像範囲を撮影画像から切り出し、それぞれ図８（ｄ）（ｅ）（ｆ）の判定対象物画像データＰ３、Ｐ４、Ｐ５を取得する（ステップＳ２０５）。
【００６３】
図７に戻り、判定対象物画像データの取得後、判定対象物画像データとともに判定要求をサーバに送信する（ステップＳ２０６）。判定要求には、ステップＳ２０３で選択された環境検査の種類の情報が含まれる。
【００６４】
サーバは、端末装置から、判定要求とともに判定対象物画像データを受信する（ステップＳ２０７）。
【００６５】
サーバは、先ず、判定対象物画像データを基に、判定対象物の判定用数値を算出する（ステップＳ２０８）。例えば、判定対象物が壁に発生したカビの撮影画像の場合、判定用数値として、判定対象物画像データの画像全面積に占めるカビによる黒い部分の面積の割合（％）を算出する。また例えば、判定対象物が飲料水の撮影画像の場合、判定用数値として、判定対象物画像データのカラーコードを抽出する。また例えば、判定対象物が実体不明物の撮影画像の場合、判定用数値として、判定対象物画像データのカラーコードを抽出する。カラーコードを抽出する際、画像データ内にバラツキがある場合は、例えば平均値や代表値を算出する。
【００６６】
次に、算出された判定対象物の判定用数値を、判定基準ＤＢに格納された各標準レベル値と比較することにより、最も近い標準レベル値を見出し、その最も近い標準レベル値に対応する判定レベル又は判定情報を判定対象物の判定結果として決定する（ステップＳ２０９）。
【００６７】
最後にサーバは、判定結果を端末装置に送信する（ステップＳ２１０）。
【００６８】
端末装置は、サーバから判定結果を受信し、表示する（ステップＳ２１１。）
【００６９】
本システムは、以上に説明した主要な特徴部分以外に、多様な機能を組み合わせて実施することも可能である。
【符号の説明】
【００７０】
１  端末装置
１１  環境検査端末処理部
１１ａ  検査種類選択部
１１ｂ  検査キット撮影画像判定処理部
１１ｃ  環境撮影画像判定処理部
１２  Ｗｅｂブラウザ
１３  入力部
１４  撮影部
１４ａ  カメラ
１４ｂ  顕微鏡
１５  表示部
１６  記憶部
２  サーバ
２１  環境検査サーバ処理部
２１ａ  検査キット撮影画像判定処理部
２１ｂ  環境撮影画像判定処理部
２２  Ｗｅｂサーバ
２３  判定基準ＤＢ
２４  色補正ＤＢ
【図１】
2016139331.tif 000003
【図２】
2016139331.tif 000004
【図３】
2016139331.tif 000005
【図４】
2016139331.tif 000006
【図５】
2016139331.tif 000007
【図６】
2016139331.tif 000008
【図７】
2016139331.tif 000009
【図８】
2016139331.tif 000010